(57)【特許請求の範囲】
【請求項１】
１以上の蓄電素子を備える蓄電設備であって、
前記１以上の蓄電素子が配置されるとともに人が立入可能な第一空間と、前記第一空間の下方の第二空間との間に配置される床板を備え、
前記床板には、前記第一空間と前記第二空間とを接続する第一貫通孔が形成され、
前記１以上の蓄電素子には電解液が封入されており、
前記第一貫通孔は、前記電解液を前記第一空間から前記第二空間へ導く流路を構成する前記電解液の排液孔であり、
前記蓄電設備は、さらに、前記第二空間を横切る梁を備え、
前記梁には、前記第二空間へ導かれた前記電解液が通過可能な第二貫通孔が形成されている
蓄電設備。
【請求項２】
前記蓄電設備は、さらに、
前記１以上の蓄電素子を収納するとともに内部に人が立入可能な前記第一空間、及び、前記第二空間を有するコンテナを備え、
前記コンテナは、前記第一空間と前記第二空間とを仕切る前記床板を有する
請求項１に記載の蓄電設備。
【請求項３】
前記第二空間は、前記床板と当該床板の下方に位置する前記コンテナの底板との間に形成される空間である
請求項２に記載の蓄電設備。
【請求項４】
さらに、
前記コンテナ内に配置され、内方に前記１以上の蓄電素子が収容されるラックを備え、
前記第一貫通孔は、前記ラックの下方に形成されている
請求項２または３に記載の蓄電設備。
【発明の詳細な説明】
【技術分野】
【０００１】
本発明は、１以上の蓄電素子を備える蓄電設備に関する。
【背景技術】
【０００２】
容器に電解液が封入された蓄電素子においては、安全性等の観点から、蓄電素子から当該電解液が漏れ出した場合に当該電解液を溜める必要がある。そこで、従来、蓄電素子の下方に電解液の液溜り部を有する架台（貯留設備）を備えるバッテリユニットが提案されている（例えば、特許文献１参照）。
【先行技術文献】
【特許文献】
【０００３】
【特許文献１】特開２０１３−６９６３９号公報
【発明の概要】
【発明が解決しようとする課題】
【０００４】
しかしながら、上記のような従来の構成では、蓄電素子から漏れ出した電解液を溜める貯留設備を設ける必要があるため、構造が複雑になる。特に、このような構成を、上記のバッテリユニットを大型化したような蓄電設備に適用する場合には、貯留設備を追加で設けたり大型な貯留設備を設けたりする必要が生じる。
【０００５】
本発明は、上記問題を解決するためになされたものであり、簡易な構成で、蓄電素子から漏れ出した電解液を溜めることができる蓄電設備を提供することを目的とする。
【課題を解決するための手段】
【０００６】
上記目的を達成するために、本発明の一態様に係る蓄電設備は、１以上の蓄電素子を備える蓄電設備であって、前記１以上の蓄電素子が配置されるとともに人が立入可能な第一空間と、前記第一空間の下方の第二空間との間に配置される床板を備え、前記床板には、前記第一空間と前記第二空間とを接続する第一貫通孔が形成されている。
【０００７】
これによれば、床板に第一貫通孔を形成するという簡易な構成によって、当該床板の下方に位置する第二空間を貯留空間として利用して、蓄電素子から漏れ出した電解液を溜めることができる。
【０００８】
また、蓄電設備は、さらに、前記１以上の蓄電素子を収納するとともに内部に人が立入可能な前記第一空間、及び、前記第二空間を有するコンテナを備え、前記コンテナは、前記第一空間と前記第二空間とを仕切る前記床板を有することにしてもよい。
【０００９】
これによれば、コンテナの床板を利用して貯留空間を設けることができるため、簡易な構成で、蓄電素子から漏れ出した電解液を溜めることができる。
【００１０】
また、前記第二空間は、前記床板と当該床板の下方に位置する前記コンテナの底板との間に形成される空間であることにしてもよい。
【００１１】
これによれば、第二空間が床板と底板との間に形成されることによって、簡易な構成で第二空間の大容量化を図ることができる。このため、簡易な構成で、蓄電素子から漏れ出した多くの電解液を溜めることができる。
【００１２】
また、前記コンテナは、前記第二空間を横切る梁を有しており、前記梁には、第二貫通孔が形成されていることにしてもよい。
【００１３】
これによれば、床板の下方に梁が配置されている場合でも、梁に第二貫通孔が形成されていることにより、梁による電解液の滞留を抑制しつつ、電解液を溜めることができる。よって、コンテナの強度を確保しつつ、蓄電素子から漏れ出した電解液を溜めることができる。
【００１４】
また、さらに、前記コンテナ内に配置され、内方に前記１以上の蓄電素子が収容されるラックを備え、前記第一貫通孔は、前記ラックの下方に形成されていることにしてもよい。
【００１５】
これによれば、蓄電素子が収容されたラックの下方に第一貫通孔が形成されていることにより、蓄電素子から漏れ出した電解液を速やかに第二空間に導くことができる。
【発明の効果】
【００１６】
本発明における蓄電設備によれば、簡易な構成で、蓄電素子から漏れ出した電解液を溜めることができる。
【図面の簡単な説明】
【００１７】
【図１】実施の形態に係るコンテナ型蓄電ユニットの外観を示す斜視図である。
【図２】実施の形態に係るコンテナ型蓄電ユニットの内部の構成を示す斜視図である。
【図３】実施の形態に係るコンテナ型蓄電ユニットの機能構成を示すブロック図である。
【図４】実施の形態に係る蓄電装置の内部の構成を示す斜視図である。
【図５】実施の形態における下壁部の詳細な構成を示す斜視図である。
【図６】実施の形態において、蓄電装置が下壁部の床板に載置されている構成を示す図である。
【図７】実施の形態における下壁部の断面図である。
【図８】実施の形態における下壁部及び当該下壁部周りでの電解液の流れを示す斜視図である。
【図９】実施の形態の変形例１において、蓄電装置が下壁部の床板に載置されている構成を示す図である。
【図１０】実施の形態の変形例１における下壁部及び当該下壁部周りでの電解液の流れを示す斜視図である。
【図１１】実施の形態の変形例２における下壁部の断面図である。
【図１２】実施の形態の変形例３に係るコンテナ型蓄電ユニットにおける下壁部の詳細な構成を示す斜視図である。
【図１３】実施の形態の変形例４において、蓄電装置が下壁部の床板に載置されている構成を示す図である。
【図１４】実施の形態の変形例５に係るコンテナ型蓄電ユニットにおける下壁部の詳細な構成を示す斜視図である。
【発明を実施するための形態】
【００１８】
以下、図面を参照しながら、本発明の実施の形態に係る蓄電設備について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。また、以下の実施の形態では、蓄電設備の一例として、１以上の蓄電素子を収納するとともに内部に人が立入可能な空間を有するコンテナを備えるコンテナ型蓄電ユニットについて説明する。
【００１９】
（実施の形態）
まず、コンテナ型蓄電ユニット１の構成について、説明する。
【００２０】
図１は、本発明の実施の形態に係るコンテナ型蓄電ユニット１の外観を示す斜視図である。また、図２は、本発明の実施の形態に係るコンテナ型蓄電ユニット１の内部の構成を示す斜視図である。また、図３は、本発明の実施の形態に係るコンテナ型蓄電ユニット１の機能構成を示すブロック図である。
【００２１】
コンテナ型蓄電ユニット１は、内部に人が立入可能なコンテナ内に複数の蓄電素子を収納した設備である。具体的には、図１に示すように、コンテナ型蓄電ユニット１は、コンテナ１０を備えている。また、図２に示すように、コンテナ型蓄電ユニット１は、コンテナ１０の内部に、複数の蓄電装置１００（本実施の形態では、８つの蓄電装置１０１〜１０８）と、複数のパワーコンディショナ２００（本実施の形態では、２つのパワーコンディショナ２０１、２０２）と、制御装置３００とを備えている。
【００２２】
なお、蓄電装置１００は複数設けられていなくともよく、１つの蓄電装置１００しか設けられていない構成でもかまわない。また、パワーコンディショナ２００についても同様に、１つのパワーコンディショナ２００しか設けられていない構成でもかまわない。また、制御装置３００については、複数の制御装置３００が設けられている構成でもよい。
【００２３】
コンテナ１０は、内部に人が立入可能な空間を有するコンテナである。つまり、コンテナ１０は、内部の機器のメンテナンス時などに内部に人が立ち入れるほどの大きさを有する金属製の中空かつ直方体形状の箱体である。具体的には、コンテナ１０は、後述の複数の蓄電素子１２２を有する蓄電装置１００を収納し、土地に自立して設置されている。なお、コンテナ１０は、いわゆるシェルタなどの箱体や、トラックや列車などの輸送手段によって搬送可能な箱体なども含む概念である。
【００２４】
例えば、コンテナ１０の一例として、蓄電装置１００を収納するいわゆる専用コンテナのうち、建築物には該当しない専用コンテナが挙げられるが、これに限定されない。国住指第４８４６号では、このような建築物には該当しない専用コンテナは、蓄電素子１２２、その他蓄電素子１２２としての機能を果たすため必要となる設備、及びそれらの設備を設置するための空間その他の蓄電素子１２２としての機能を果たすため必要となる最小限の空間のみを内部に有していると定義されている。また、この場合、コンテナ１０は、稼動時は無人であり、機器の重大な障害発生時等を除いて内部に人が立ち入らないこととされている。また、この場合、コンテナ１０は、複数積み重ねられて使用されることはないと定義されている。
【００２５】
ここで、コンテナ１０は、下壁部１１と、側壁部１２、１３、１４及び１５と、上壁部１６とを有している。また、コンテナ１０は、内部に、コンテナ１０内の空間を２つの部屋に仕切る間仕切壁１７を有している。
【００２６】
下壁部１１は、コンテナ１０の底部に配置された壁であり、コンテナ１０内の空間の床面（コンテナ１０の床面）を形成する矩形状の板状部材である床板と、当該床板の下方に配置された複数の床梁とを有している。当該床梁は、例えばＸ軸方向（またはＹ軸方向）に延びる長尺状の部材であり、床板を下方から支えるとともに、当該床板を補強する。なお、床板及び床梁の材質は特に限定されないが、金属等の強度の高い材質によって形成されているのが好ましい。本実施の形態では、蓄電素子１２２から漏れ出した電解液は、床板の下方の空間である下壁部１１内の空間に溜められる。この詳細については、後述する。
【００２７】
側壁部１２、１３、１４及び１５は、下壁部１１から立設して配置されたコンテナ１０の側壁であり、下壁部１１の外縁に沿って、下壁部１１を囲うように配置されている。側壁部１２、１３、１４及び１５のそれぞれは、側面を形成する矩形状の板状部材と、当該板状部材を補強する複数の柱（図示せず）とを有している。つまり、当該柱は、下壁部１１の外縁から上方（Ｚ軸方向プラス側）に延びる長尺状の部材である。なお、当該板状部材及び柱の材質は特に限定されないが、金属等の強度の高い材質によって形成されているのが好ましい。
【００２８】
具体的には、側壁部１２は、コンテナ１０の長側面のうちＸ軸方向プラス側の面（前面）に配置された壁であり、側壁部１４は、コンテナ１０の長側面のうちＸ軸方向マイナス側の面（背面）に配置された壁である。ここで、側壁部１２には開閉扉１２ａが設けられている。開閉扉１２ａは、蓄電装置１００及び制御装置３００を収容する部屋への出入口となる矩形状の扉であり、開閉可能に設置されている。つまり、側壁部１２には、人が出入りできるほどの大きさの開口部が形成されており、開閉扉１２ａは、当該開口部を開閉可能に取り付けられている。
【００２９】
側壁部１３は、コンテナ１０の短側面のうちＹ軸方向プラス側の面に配置された壁であり、側壁部１５は、コンテナ１０の短側面のうちＹ軸方向マイナス側の面に配置された壁である。ここで、側壁部１３には、開閉扉１３ａが設けられている。開閉扉１３ａは、パワーコンディショナ２００を収容する部屋への出入口となる矩形状の扉であり、開閉可能に設置されている。
【００３０】
なお、図１に示される、開閉扉１２ａ及び開閉扉１３ａそれぞれの位置は例示であり、これらの位置は、図１に示される位置に限定されない。例えば、開閉扉１２ａは、側壁部１２において、図１に示される位置とは異なる位置に配置されてもよく、他の側壁部（例えば側壁部１５）に配置されていてもよい。また、開閉扉１３ａが、例えば側壁部１２に配置されていてもよい。
【００３１】
上壁部１６は、コンテナ１０の上部に配置された天井（屋根）を構成する壁であり、側壁部１２、１３、１４及び１５の上方に配置されている。つまり、上壁部１６は、外縁が側壁部１２、１３、１４及び１５の上端に接続されて配置されている。また、上壁部１６は、天面を形成する矩形状の板状部材と、当該板状部材を補強する複数の梁（図示せず）とを有している。当該梁は、例えばＸ軸方向（またはＹ軸方向）に延びる長尺状の部材である。なお、当該板状部材及び梁の材質は特に限定されないが、金属等の強度の高い材質によって形成されているのが好ましい。
【００３２】
間仕切壁１７は、蓄電装置１００とパワーコンディショナ２００との間に配置され、蓄電装置１００が配置される空間とパワーコンディショナ２００が配置される空間とを仕切る壁である。つまり、間仕切壁１７は、側壁部１３及び１５と平行、かつ、下壁部１１、側壁部１２、１４及び上壁部１６の４つの壁に囲まれるように当該４つの壁に接して配置された矩形状の板状部材である。なお、間仕切壁１７は、他の壁と同様に、柱または梁を有することにしてもよい。
【００３３】
以上のように、コンテナ１０を構成する壁部（下壁部１１、側壁部１２、１３、１４、１５、上壁部１６、及び間仕切壁１７）は、板状部材を有している。当該板状部材は、波板などどのような形状の部材であってもかまわないが、コンテナ１０内の利用可能な容積を広げる等の観点から、平板状の部材であるのが好ましい。また、当該板状部材は、どのような材質で形成されていてもかまわないが、強度確保等の観点から、鋼板などの金属製の部材で形成されているのが好ましい。また、コンテナ１０内の温度管理等の観点から、当該壁部は、内部に断熱材を有していることにしてもよい。
【００３４】
蓄電装置１００は、後述の複数の蓄電素子１２２を有する蓄電モジュール１２０を複数備えた装置（つまり、複数の蓄電池を備えた蓄電池盤）である。本実施の形態では、８つの蓄電装置１００（蓄電装置１０１〜１０８）のそれぞれは、矩形状を有し、１２個の蓄電素子１２２を有する蓄電モジュール１２０を３６個備えている。つまり、８つの蓄電装置１００の全てで、３４５６個の蓄電素子１２２（２８８個の蓄電モジュール１２０）を有している。
【００３５】
具体的には、８つの蓄電装置１００は、蓄電装置１０１〜１０４で構成される第一系統と、蓄電装置１０５〜１０８で構成される第二系統との２つの系統に分かれて、配置されている。そして、第一系統及び第二系統の各系統において、直列に接続された１２個の蓄電モジュール１２０が、１２セット並列に接続されている。
【００３６】
ここで、第一系統の蓄電装置１０１〜１０４は、側壁部１４の内壁面に沿ってＹ軸方向に並んで配置されており、第二系統の蓄電装置１０５〜１０８は、側壁部１２の内壁面に沿ってＹ軸方向に並んで配置されている。これにより、第一系統の蓄電装置１０１〜１０４と第二系統の蓄電装置１０５〜１０８との間に、機器の重大な障害発生時等に人が立入可能な空間が形成されている。
【００３７】
なお、系統の数、１系統に含まれる蓄電装置１００の数、蓄電装置１００が有する蓄電モジュール１２０の数、蓄電モジュール１２０が有する蓄電素子１２２の数、直列に接続される蓄電モジュール１２０（蓄電素子１２２）の数などは、一例であり、上記の数に限定されない。例えば、コンテナ型蓄電ユニット１は１つの蓄電装置１００しか備えておらず、さらに、当該１つの蓄電装置１００は１つの蓄電素子１２２しか有していない構成でもかまわない。この蓄電装置１００の詳細な構成についての説明は、後述する。
【００３８】
パワーコンディショナ２００は、コンテナ１０の蓄電装置１００とは反対側（Ｙ軸方向プラス側）に、側壁部１４に沿って配置される外形が矩形状のパワーコンディショナ（Ｐｏｗｅｒ  Ｃｏｎｄｉｔｉｏｎｉｎｇ  Ｓｙｓｔｅｍ：ＰＣＳ）である。パワーコンディショナ２００は、外部の電力系統と蓄電装置１００とを繋ぎ、蓄電装置１００への電力を交流から直流に変換したり、蓄電装置１００からの電力を直流から交流に変換したりする交直変換装置である。
【００３９】
具体的には、図３に示すように、パワーコンディショナ２００は、蓄電装置１００に接続（つまり、制御装置３００を介して複数の蓄電モジュール１２０、すなわち複数の蓄電素子１２２に接続）されるとともに、外部の電力系統（商用電力系統２や電力負荷３など）に接続されている。そして、パワーコンディショナ２００は、蓄電素子１２２の充電時に、当該電力系統から交流電力を受電した場合には、当該交流電力を直流電力に変換し、蓄電装置１００へ送電する。また、パワーコンディショナ２００は、蓄電装置１００に貯蔵されている電力を電力系統に供給するために、蓄電装置１００からの直流電力を交流電力に変換して、電力系統へ送電する。
【００４０】
ここで、本実施の形態では、２つのパワーコンディショナ２００（パワーコンディショナ２０１、２０２）が設けられており、それぞれのパワーコンディショナ２００は、電源線５１０、５２０及び制御装置３００を介して、蓄電装置１００の各系統に接続されている。電源線５１０、５２０は、蓄電装置１００の充放電による電流が流れる配線（ケーブル）である。つまり、パワーコンディショナ２０１は、電源線５１０、５２０及び制御装置３００を介して、第一系統の蓄電装置１０１〜１０４に接続され、パワーコンディショナ２０２は、電源線５１０、５２０及び制御装置３００を介して、第二系統の蓄電装置１０５〜１０８に接続されている。これにより、蓄電装置１０１〜１０８の充放電が行われる。
【００４１】
なお、パワーコンディショナ２００は、変圧器を介して、外部の電力系統と接続されているが、詳細な説明は省略する。また、パワーコンディショナ２００の外形は、矩形状には限定されず、円柱形状など種々の形状が適用可能である。
【００４２】
図２に戻り、制御装置３００は、蓄電装置１００とパワーコンディショナ２００との間に配置される外形が矩形状の装置であり、蓄電装置１００を制御する。ここで、制御装置３００は、間仕切壁１７に沿って配置されている。具体的には、制御装置３００は、間仕切壁１７の蓄電装置１００側に配置されている。つまり、間仕切壁１７によって仕切られた２つの部屋のうちの一方の部屋（Ｙ軸方向マイナス側の部屋）に、蓄電装置１００と制御装置３００とが収容され、他方の部屋（Ｙ軸方向プラス側の部屋）にパワーコンディショナ２００が収容されている。なお、蓄電装置１００と制御装置３００とは、機器の重大な障害発生時等に人が立入可能な空間が形成されるように、離間して配置されている。
【００４３】
ここで、制御装置３００は、蓄電装置１００の主回路を集合させ、並列接続し、パワーコンディショナ２００と取り合うための中継の役割を担っている。また、制御装置３００は、蓄電装置１００が有する蓄電モジュール１２０（または蓄電素子１２２）の充電状態や放電状態等に関する情報（電圧、温度など）を取得して監視する。つまり、制御装置３００には、当該情報を集合させてシステム全体の情報を取りまとめる監視装置が収納されている。また、制御装置３００は、パワーコンディショナ２００に対して充放電指令を行うことで、蓄電装置１００が有する蓄電モジュール１２０（または蓄電素子１２２）を制御する。つまり、制御装置３００には、充放電制御装置が収納されている。
【００４４】
具体的には、図３に示すように、制御装置３００は、電源線５１０を介して、各系統に含まれる蓄電装置１００（蓄電装置１０１〜１０８）と接続され、電源線５２０を介して、パワーコンディショナ２００と接続されている。また、制御装置３００は、通信線５３０を介して、各系統に含まれる蓄電装置１００（蓄電装置１０１〜１０８）に接続されている。通信線５３０は、蓄電装置１００からの情報、または蓄電装置１００への情報を伝達する配線（ケーブル）である。これにより、蓄電装置１００が有する蓄電モジュール１２０（または蓄電素子１２２）の充電状態や放電状態等の情報が制御装置３００に送られる。
【００４５】
また、制御装置３００は、通信線５４０を介して、パワーコンディショナ２００に接続されており、パワーコンディショナ２００に充放電指令を送信し、蓄電装置１００の充放電を制御する。通信線５４０は、パワーコンディショナ２００からの情報、またはパワーコンディショナ２００への情報を伝達する配線（ケーブル）である。つまり、パワーコンディショナ２０１及び２０２は、通信線５４０を介して送信された制御装置３００からの充放電指令に従って、第一系統の蓄電装置１０１〜１０４及び第二系統の蓄電装置１０５〜１０８の充放電を制御する。
【００４６】
なお、制御装置３００は、上記の充放電制御装置を有していない構成（いわゆる蓄電池集合盤）であってもかまわないし、さらに、上記の監視装置を有していない構成であってもかまわない。この場合、コンテナ型蓄電ユニット１は、充放電制御装置または監視装置を別体として有していてもよいし、有していない構成でもかまわない。
【００４７】
次に、蓄電装置１００の具体的な構成について、詳細に説明する。
【００４８】
図４は、本発明の実施の形態に係る蓄電装置１００の内部の構成を示す斜視図である。具体的には、同図の（ａ）は、ラック１１０を透過して蓄電装置１００の内部構成を示している。また、同図の（ｂ）は、収容ケース１２１を透過して蓄電モジュール１２０の内部構成を示している。また、同図の（ｃ）は、容器本体１２２ｂを分離して蓄電素子１２２の内部構成を示している。
【００４９】
同図の（ａ）に示すように、蓄電装置１００は、蓄電装置１００の外装体を構成するラック１１０と、ラック１１０内に収容された複数の蓄電モジュール１２０とを備えている。
【００５０】
ラック１１０は、６枚の矩形状の平板、柱、支持台などを有する中空の直方体形状（箱型）の部材であり、複数の蓄電モジュール１２０を収容し、かつ、当該複数の蓄電モジュール１２０を載置して支持する。なお、ラック１１０を構成する部材は、どのような材質で形成されていてもよいが、金属等の強度の高い材質によって形成されているのが好ましい。
【００５１】
蓄電モジュール１２０は、外部からの電気を充電し、また外部へ電気を放電することができる機器（電池モジュール）である。本実施の形態では、１２段の支持台のそれぞれに、３個の蓄電モジュール１２０が載置されている。また、４段分（１２個）の蓄電モジュール１２０が直列に接続されており、当該４段分の蓄電モジュール１２０が、３セット並列に接続されている。なお、蓄電モジュール１２０の個数は限定されず、他の複数個数または１個であってもよい。
【００５２】
また、同図の（ｂ）に示すように、蓄電モジュール１２０は、蓄電モジュール１２０の外装体を構成する収容ケース１２１と、収容ケース１２１内に収容された複数の蓄電素子１２２とを備えている。収容ケース１２１は、中空の直方体形状（箱型）の部材であり、複数の蓄電素子１２２を覆うように配置されている。収容ケース１２１は、絶縁を確保する等の観点から、樹脂等の絶縁性の材質によって形成されているのが好ましい。
【００５３】
なお、同図の（ｂ）では、蓄電モジュール１２０は、１２個の矩形状の蓄電素子１２２を備えているが、蓄電素子１２２の個数は限定されず、他の複数個数または１個であってもよい。また、蓄電素子１２２の形状も限定されず、円柱形状や長円柱形状などであってもよい。また、蓄電モジュール１２０は、蓄電素子１２２同士を電気的に接続するバスバーや、蓄電素子１２２間に配置されるスペーサなども備えているが、詳細な説明は省略する。ここで、蓄電素子１２２の具体的な構成について、詳細に説明する。
【００５４】
蓄電素子１２２は、電気を充電し、また、電気を放電することのできる二次電池であり、より具体的には、リチウムイオン二次電池などの非水電解質二次電池である。なお、蓄電素子１２２は、非水電解質二次電池には限定されず、非水電解質二次電池以外の二次電池であってもよいし、キャパシタであってもかまわない。
【００５５】
同図の（ｃ）に示すように、蓄電素子１２２は、容器を構成する容器蓋体１２２ａ及び容器本体１２２ｂと、正極端子１２２ｃと、負極端子１２２ｄとを備え、容器内部には、正極集電体１２２ｅと、負極集電体１２２ｆと、電極体１２２ｇとが配置されている。なお、容器内部には電解液などの液体が封入されているが、当該液体の図示は省略する。
【００５６】
容器本体１２２ｂは、金属からなる矩形筒状で底を備える部材であり、容器蓋体１２２ａは、容器本体１２２ｂの開口を閉塞する金属製の部材である。この容器本体１２２ｂの内部に電極体１２２ｇ等が収容され、容器蓋体１２２ａと容器本体１２２ｂとが溶接等されることにより、容器の内部が密封される。
【００５７】
電極体１２２ｇは、正極と負極とセパレータとを備え、電気を蓄えることができる発電要素である。具体的には、電極体１２２ｇは、正極と負極との間にセパレータが挟み込まれるように層状に配置されたものが巻回されて長円形状に形成された巻回型の電極体である。なお、電極体１２２ｇは、円形状または楕円形状などに形成されていてもよいし、正極と負極とセパレータとが積層された積層型の電極体であってもかまわない。
【００５８】
正極は、アルミニウムまたはアルミニウム合金などからなる長尺帯状の導電性の正極集電箔の表面に、正極活物質層が形成された電極板である。負極は、銅または銅合金などからなる長尺帯状の導電性の負極集電箔の表面に、負極活物質層が形成された電極板である。なお、正極活物質層に用いられる正極活物質、及び負極活物質層に用いられる負極活物質としては、リチウムイオンを吸蔵放出可能なものであれば、適宜公知の材料を使用できる。
【００５９】
正極端子１２２ｃは、正極集電体１２２ｅを介して、電極体１２２ｇの正極に電気的に接続された電極端子であり、負極端子１２２ｄは、負極集電体１２２ｆを介して、電極体１２２ｇの負極に電気的に接続された電極端子である。つまり、正極端子１２２ｃ及び負極端子１２２ｄは、電極体１２２ｇに蓄えられている電気を蓄電素子１２２の外部空間に導出し、また、電極体１２２ｇに電気を蓄えるために蓄電素子１２２の内部空間に電気を導入するための金属製の電極端子である。
【００６０】
正極集電体１２２ｅは、電極体１２２ｇの正極と容器本体１２２ｂの側壁との間に配置され、正極端子１２２ｃと当該正極とに電気的に接続される導電性と剛性とを備えた部材である。なお、正極集電体１２２ｅは、当該正極の正極集電箔と同様、アルミニウムまたはアルミニウム合金などを主成分とする金属で形成されている。
【００６１】
負極集電体１２２ｆは、電極体１２２ｇの負極と容器本体１２２ｂの側壁との間に配置され、負極端子１２２ｄと当該負極とに電気的に接続される導電性と剛性とを備えた部材である。なお、負極集電体１２２ｆは、当該負極の負極集電箔と同様、銅または銅合金などを主成分とする金属で形成されている。
【００６２】
次に、下壁部１１及び当該下壁部１１周りの具体的な構成について、詳細に説明する。
【００６３】
図５は、本実施の形態における下壁部１１の詳細な構成を示す斜視図である。図６は、本実施の形態において、蓄電装置１００が下壁部１１の床板１１ａに載置されている構成を示す図である。図７は、本実施の形態における下壁部１１の断面図であり、具体的には、図６のＶＩＩ−ＶＩＩ線における断面図、及び、当該断面図のＡ−Ａ線における断面図である。図８は、本実施の形態における下壁部１１及び当該下壁部１１周りでの電解液の流れを示す斜視図である。
【００６４】
なお、図５には、側壁部１３〜１５及び間仕切壁１７も図示されている。また、図８では、何らかのアクシデントにより蓄電素子１２２から電解液が漏れ出した場合における当該電解液の流れを示している。また、図５及び図８では、説明の便宜のため、床板１１ａにハッチングを施しつつ、当該床板１１ａを半透過している。
【００６５】
図５に示すように、下壁部１１は、当該下壁部１１の内壁を構成する床板１１ａと、当該床板１１ａを支持する枠材１１ｆ及び床梁１１ｇとを備える。また、図７に示すように、下壁部１１はさらに、当該下壁部１１の外壁を構成する底板１１ｅと、受け板１１ｃ及び断熱材１１ｄとを備える。また、床板１１ａ、受け板１１ｃ及び断熱材１１ｄには第一貫通孔１１ｂが形成されている。
【００６６】
床板１１ａは、蓄電素子１２２が配置されるとともに人が立入可能な第一空間Ｓ１０と、第一空間Ｓ１０の下方の第二空間Ｓ２０との間に配置される板状部材である。本実施の形態では、床板１１ａは、蓄電素子１２２を収納するとともに内部に人が立入可能な第一空間Ｓ１０、及び、第一空間Ｓ１０の下方の第二空間Ｓ２０を有するコンテナ１０において、第一空間Ｓ１０と第二空間Ｓ２０とを仕切る板状部材であり、具体的には下壁部１１の内壁を構成する。床板１１ａは、強度面等から、鉄板などの金属によって形成されるのが好ましいが、金属以外で形成されてもかまわない。
【００６７】
具体的には、床板１１ａは、上壁部１６と所定距離（例えば２５００ｍｍ程度）離間して配置され、床板１１ａの内壁面と上壁部１６の内壁面との間に人が立入可能な第一空間Ｓ１０を形成する。また、床板１１ａは、底板１１ｅと所定距離（例えば１５０ｍｍ）離間して配置され、当該底板１１ｅとの間に第二空間Ｓ２０を形成する。本実施の形態では、床板１１ａと底板１１ｅとは、枠材１１ｆ及び床梁１１ｇを上下方向から挟み込むように配置されることにより、枠材１１ｆ及び床梁１１ｇの上下方向の厚さ分離間して配置されている。
【００６８】
床板１１ａには、蓄電装置１００が載置されている。言い換えると、床板１１ａには、内方に複数の蓄電素子１２２が収容されるラック１１０が載置される。このように、床板１１ａは、下壁部１１の内壁面かつコンテナ１０内の空間の床面を形成する。床板１１ａは、枠材１１ｆ及び床梁１１ｇと溶接等によって固定されることにより支持されている。なお、床板１１ａは、１枚の板状部材によって構成されていてもよいし、複数枚の板状部材が配列される（敷き詰められる）ことによって構成されていてもかまわない。
【００６９】
また、床板１１ａには、第一空間Ｓ１０と第二空間Ｓ２０とを接続する複数の第一貫通孔１１ｂ（第一貫通孔１１ｂ１〜１１ｂ４）が形成されている。本実施の形態では、図６に示すように、第一貫通孔１１ｂは、蓄電装置１００の下方、つまり、複数の蓄電素子が収容されるラック１１０（図４参照）の下方に形成された円形の貫通孔である。例えば、第一貫通孔１１ｂは、１つのラック１１０に対して１つ形成され、対応するラック１１０の下方中央位置に形成されている。
【００７０】
なお、第一貫通孔１１ｂの孔径は、特に限定されないが、例えば、１０ｍｍ〜５０ｍｍ程度である。また、本実施の形態では、第一貫通孔１１ｂは円形の貫通孔であるが、孔の形状は特に限定されず、例えば、貫通方向に直交する断面形状が正方形状、楕円形状、長円形状、三角形状その他の多角形状など、どのような形状であってもかまわない。また、第一貫通孔１１ｂは、対応するラック１１０の下方中央位置に形成されていなくてもよく、対応するラック下方のいずれの位置に形成されていてもよく、例えば、当該下方の端縁部に形成されていてもかまわない。
【００７１】
また、１つのラック１１０に対して形成される第一貫通孔１１ｂの数は、１つに限らず、複数であってもかまわない。このとき、形成される第一貫通孔１１ｂの数は、当該第一貫通孔１１ｂの孔径に応じて適宜決定されてもよく、例えば、孔径が小さい場合、多くの第一貫通孔１１ｂが形成されていてもよい。
【００７２】
また、第一貫通孔１１ｂは、ラック１１０の個数及び配列とは無関係に形成されていてもよいし、床板１１ａ全体で１つしか形成されていなくてもかまわない。
【００７３】
枠材１１ｆは、４つの長尺状部材である枠材１１ｆ１〜１１ｆ４からなり、床板１１ａの周縁部において床板１１ａの下面（Ｚ軸方向マイナス側の面）と当接して配置されることにより当該床板１１ａを支持する部材であり、下壁部１１の枠体を構成する。
【００７４】
具体的には、対向する一対の枠材１１ｆ１及び１１ｆ３は床板１１ａの短辺下方に配置され、対向する一対の枠材１１ｆ２及び１１ｆ４は床板１１ａの長辺下方に配置されている。このような枠材１１ｆの構成によって、蓄電素子１２２が配置された床板１１ａの下方が囲まれることとなる。つまり、蓄電素子１２２が配置された第一空間Ｓ１０の下方は、枠材１１ｆによって囲まれることとなる。
【００７５】
なお、枠材１１ｆは、４つの長尺状部材から構成されることには限定されず、全ての部材が一体に形成されて１つの部材で構成されていてもよいし、２つ、３つ、又は５つ以上の部材から構成されていてもかまわない。また、枠材１１ｆは、強度面等から、鋼材やステンレス材などの金属によって形成されるのが好ましいが、金属以外で形成されてもかまわない。
【００７６】
床梁１１ｇは、複数の長尺状部材である床梁１１ｇからなり、床板１１ａの下面と当接して配置されることにより当該床板１１ａを支持する梁であり、両端が枠材１１ｆに固定されている。
【００７７】
具体的には、床梁１１ｇは、対向する一対の枠材１１ｆ１と枠材１１ｆ３との間で例えば略等間隔に複数配置され、両端が対向する一対の枠材１１ｆ２及び１１ｆ４に固定されている。つまり、枠材１１ｆ１〜１１ｆ４によって構成される矩形の枠体の内部には、両端が当該枠体の長辺を構成する一対の枠材１１ｆ２、１１ｆ４に固定された複数の床梁１１ｇが、当該矩形の長手方向に並んで配置されている。
【００７８】
なお、床梁１１ｇは、両端が枠体の短辺を構成する一対の枠材１１ｆ１、１１ｆ３に固定され、枠体の短手方向に並んで複数配置されていてもかまわない。また、床梁１１ｇは、強度面等から、鋼材やステンレス材などの金属によって形成されるのが好ましいが、金属以外で形成されてもかまわない。また、床梁１１ｇは、等間隔に複数配置されていなくともよく、どのような間隔で配置されていてもよいし、１つしか配置されていない構成でもかまわない。
【００７９】
このように構成された床梁１１ｇは、床板１１ａによって第一空間Ｓ１０と仕切られた第二空間Ｓ２０を横切るように配置される。つまり、第二空間Ｓ２０は、床梁１１ｇによって、より小容量の空間に仕切られる。例えば、図７に示すように、第二空間Ｓ２０は、床梁１１ｇ１〜１１ｇ３によって小空間Ｓ２１〜Ｓ２４に仕切られる。
【００８０】
ここで、床梁１１ｇには、例えば短手方向に貫通する、円形の貫通孔等の第二貫通孔１１ｈが形成されている。つまり、第二貫通孔１１ｈは、床梁１１ｇによって仕切られた小空間同士を互いに接続する。
【００８１】
なお、第二貫通孔１１ｈの孔径は、特に限定されないが、例えば、５ｍｍ〜３０ｍｍ程度である。また、本実施の形態では、第二貫通孔１１ｈは円形の貫通孔であるが、孔の形状は特に限定されず、例えば、貫通方向に直交する断面形状が正方形状、楕円形状、長円形状、三角形状その他の多角形状など、どのような形状であってもかまわない。また、各床梁１１ｇに形成される第二貫通孔１１ｈの数は、特に限定されない。例えば、図８では、各床梁１１ｇに２つの第二貫通孔１１ｈが形成されている。また、各床梁１１ｇに形成される第二貫通孔１１ｈの数は同数でなくてもよく、例えば、ラック１１０と床梁１１ｇとの位置関係に応じて、床梁１１ｇに形成される第二貫通孔１１ｈの数が増減していてもかまわない。また、各床梁１１ｇに形成される第二貫通孔１１ｈ同士が、同じ位置（本実施の形態ではＸ軸方向の同じ位置）に形成されていなくてもかまわない。
【００８２】
また、第二貫通孔１１ｈの孔軸方向は特に限定されず、例えば、床梁１１ｇの短手方向であってもよいし、当該短手方向に対して斜め方向であってもよい。また、第二貫通孔１１ｈは、クランク状に形成されて床梁１１ｇを貫通していてもかまわない。
【００８３】
底板１１ｅは、下壁部１１の外壁を構成する板状部材である。底板１１ｅは、どのような材質で形成されていてもかまわないが、強度確保等の観点から、鋼板などの金属製の部材で形成されているのが好ましい。また、底板１１ｅは、蓄電素子１２２に封入された電解液に対して耐腐食性を有することが好ましい。
【００８４】
底板１１ｅは、枠材１１ｆによって囲まれる空間の下方の開口を塞ぐように、枠材１１ｆと溶接等によって隙間無く固定される。なお、底板１１ｅは、枠材１１ｆと密着していることにより当該枠材１１ｆと隙間無く配置されていてもよいし、シーリング材等によって隙間無く配置されていてもかまわない。
【００８５】
このように構成された枠体１１ｆと底板１１ｅとは、これら枠体１１ｆと底板１１ｅとで囲まれる空間に流入した液体を溜めることができる構造、いわゆる‘ためます構造’を形成する。つまり、当該空間は、流入した液体を溜めることができる貯留空間となる。すなわち、本実施の形態では、床板１１ａによって仕切られたコンテナ１０内の空間（床板１１ａと底板１１ｅとの間に形成される空間）である第二空間Ｓ２０は、上記の貯留空間となる。
【００８６】
ここで、上述したように、床板１１ａには、貯留空間である第二空間Ｓ２０と当該第二空間Ｓ２０の上方の第一空間Ｓ１０とを接続する第一貫通孔１１ｂが形成されている。このため、何らかのアクシデントにより第一空間Ｓ１０に配置された蓄電素子１２２から電解液が漏れ出した場合であっても、当該電解液は第一貫通孔１１ｂを通って第一空間Ｓ１０から第二空間Ｓ２０へと導かれて、第二空間Ｓ２０で貯留される。
【００８７】
このように、本実施の形態における第一貫通孔１１ｂは、電解液を第一空間Ｓ１０から第二空間Ｓ２０へと導く流路を構成する。すなわち、第一貫通孔１１ｂは、第一空間Ｓ１０から第二空間Ｓ２０へと電解液を排出する排液孔である。
【００８８】
受け板１１ｃは、床板１１ａの下方に配置され、断熱材１１ｄを支持する板状部材であり、例えば、鋼板などの金属製の部材である。受け板１１ｃは、上面視において（Ｚ軸方向プラス側から見て）、枠材１１ｆ１、１１ｆ３及び床梁１１ｇの間に配置され、例えば、枠材１１ｆ及び床梁１１ｇ等に溶接等によって固定されることで、断熱材１１ｄを支持する。
【００８９】
断熱材１１ｄは、床板１１ａと受け板１１ｃとの間に充填され、受け板１１ｃによって支持される。断熱材１１ｄの素材は特に限定されないが、例えば、ゴム、ウレタン、またはグラスウールなどが採用される。
【００９０】
これら受け板１１ｃ及び断熱材１１ｄにも、上述した第一貫通孔１１ｂが形成されている。
【００９１】
以上、下壁部１１及び当該下壁部１１周りの具体的な構成について説明した。なお、床板１１ａと枠材１１ｆ及び床梁１１ｇとの固定方法、底板１１ｅと枠材１１ｆとの固定方法、ならびに、受け板１１ｃと枠材１１ｆ及び床梁１１ｇとの固定方法は溶接に限定されず、例えば、ボルト及びナットによる締結またはリベットによる締結が当該固定方法として採用されてもかまわない。
【００９２】
このように構成されたコンテナ型蓄電ユニット１によって、図８に示すように、蓄電装置１００の蓄電素子１２２から電解液が漏れ出した場合であっても、当該電解液は、床板１１ａに形成された第一貫通孔１１ｂを通って第二空間Ｓ２０に貯留されることとなる。例えば、蓄電装置１０１の蓄電素子１２２から電解液が漏れ出した場合、当該電解液は、蓄電装置１０１の下方に形成された第一貫通孔１１ｂ１を通って、第二空間Ｓ２０へと導かれる。具体的には、第一貫通孔１１ｂ１を通った電解液は、第二空間Ｓ２０を構成する複数の小空間の１つであって床梁１１ｇ１、１１ｇ２と床板１１ａと底板１１ｅとで囲まれた小空間Ｓ２１（図７参照）に導かれる。
【００９３】
床梁１１ｇには、短手方向に貫通する第二貫通孔１１ｈが形成されているため、一の小空間（例えば小空間Ｓ２１）に導かれた電解液は、第二空間Ｓ２０を構成する他の小空間（例えば小空間Ｓ２２〜Ｓ２４）にも導かれる。つまり、当該電解液は一の小空間に滞留せず、第二空間Ｓ２０全体に溜められる。
【００９４】
このように、本実施の形態に係るコンテナ型蓄電ユニット１において、蓄電素子１２２から漏れ出した電解液が、第一貫通孔１１ｂ１を通って第二空間Ｓ２０に貯留されることとなる。
【００９５】
以上説明したように、蓄電設備の一例として説明した本実施の形態に係るコンテナ型蓄電ユニット１によれば、第一空間Ｓ１０と第二空間Ｓ２０との間に配置された床板１１ａに、第一空間Ｓ１０と第二空間Ｓ２０とを接続する第一貫通孔１１ｂが形成されている。ここで、蓄電素子１２２の電解液は危険物であるため、蓄電設備には、安全性確保の観点から、蓄電素子１２２から漏れ出した電解液を溜めることが必要である。そこで、本実施の形態によれば、床板１１ａに第一貫通孔１１ｂを形成するという簡易な構成によって、当該床板１１ａの下方に位置する第二空間Ｓ２０を貯留空間として利用して、蓄電素子１２２から漏れ出した電解液を溜めることができる。
【００９６】
特に、本実施の形態に係るコンテナ型蓄電ユニット１によれば、コンテナ１０を備える蓄電設備であるため、コンテナ１０の床板１１ａを利用して貯留空間を設けることができる。よって、簡易な構成で、蓄電素子１２２から漏れ出した電解液を溜めることができる。
【００９７】
具体的には、コンテナ１０は、内部に人が立ち入れるほどの大きさを有する金属製の中空かつ直方体形状の箱体であるため、コンテナ１０の床面を形成する板状部材である床板１１ａを有する。そこで、本実施の形態によれば、床板１１ａに第一貫通孔１１ｂを形成することにより、コンテナ１０と別物の貯留設備を設けることなく、床板１１ａを利用して電解液を溜めることができる。
【００９８】
また、コンテナ型蓄電ユニット１の大容量化の観点からは、コンテナ１０がより多くの蓄電素子１２２を収納できることが好ましい。ただし、コンテナ１０の内径寸法又は容量等は例えば規格等によって規定される場合がある。このため、床板１１ａを利用して電解液を溜めることにより、コンテナ１０の内部空間における蓄電素子１２２を配置可能な部分を大きく確保することができ、コンテナ型蓄電ユニット１の大容量化を図ることが可能となる。
【００９９】
また、床板１１ａを利用して電解液を溜めることにより、コンテナ１０に収納されたいずれの蓄電素子１２２から電解液が漏れ出した場合であっても、当該電解液を溜めることができる。特に、本実施の形態では、８つの蓄電装置１００の全てで、３４５６個の蓄電素子１２２を有する。このため、床板１１ａに第一貫通孔１１ｂを形成するという簡易な構成によって電解液を溜めることは、コンテナ型蓄電ユニット１全体の構造の簡素化に大きく貢献する。
【０１００】
また、コンテナ１０の床板１１ａを利用して貯留空間を設けることにより、蓄電素子１２２から電解液が漏れ出した場合に、当該電解液をコンテナ１０から取り出すことなく、輸送できる。つまり、当該場合に、コンテナ型蓄電ユニット１そのものを廃棄所まで輸送することができる。
【０１０１】
また、コンテナ１０の床板１１ａを利用して貯留空間を設けるため、貯留空間の容量を、コンテナ１０のコンテナ長（Ｙ軸方向の大きさ）を適宜調整（カスタマイズ）することにより、任意の容量にすることができる。
【０１０２】
また、本実施の形態に係るコンテナ型蓄電ユニット１によれば、第二空間Ｓ２０が床板１１ａとコンテナ１０の底板１１ｅとの間に形成されることによって、簡易な構成で第二空間Ｓ２０の大容量化を図ることができる。このため、簡易な構成で蓄電素子１２２から漏れ出した多くの電解液を溜めることができる。
【０１０３】
具体的には、床板１１ａは、コンテナ１０の床面全体を形成する板状部材であり、底板１１ｅは、コンテナ１０の底面全体を形成する板状部材である。このため、床板１１ａと底板１１ｅとの間に形成される空間は、コンテナ１０の下部全体に亘って配置されるため大容量の空間となる。このため、床板１１ａの下方に位置する第二空間Ｓ２０の大容量化が図られるので、多くの電解液を溜めることができる。
【０１０４】
例えば、本実施の形態では、上述したように３４５６個の蓄電素子１２２を有する。このため、これら全ての蓄電素子１２２に封入された電解液の総量は１０００リットル程度に大容量となる場合がある。よって、第二空間Ｓ２０の容量が十分に確保できなければ、蓄電素子１２２から漏れ出した電解液が床板１１ａ上にあふれることとなり、当該電解液がコンテナ１０の外部へ流出する事態になりかねない。
【０１０５】
また、このように多くの電解液を溜めることができる貯留設備をコンテナ１０と別物で構成した場合には、貯留設備の大型化等に伴って当該貯留設備が複雑化する場合もある。さらに、このような貯留設備をコンテナ１０の内部に設けた場合には、コンテナ１０の内部空間に大型の貯留設備が配置されるため、コンテナ１０に収納される蓄電素子１２２の個数が制限されてコンテナ型蓄電ユニット１の大容量化が困難となる。
【０１０６】
よって、第二空間Ｓ２０を床板１１ａと底板１１ｅとの間に形成することは、簡素な構成で多くの電解液を溜められるため、コンテナ型蓄電ユニット１の安全性確保及び構成の簡素化に大きく貢献する。
【０１０７】
ここで、本実施の形態では、床板１１ａは下壁部１１の内壁を構成し、底板１１ｅは下壁部１１の外壁を構成する。通常、コンテナは、強度確保の観点から、各壁部（１つの下壁部、４つの側壁部、及び、１つの上壁部）に当該コンテナの骨組みを形成する長尺状部材が設けられている。例えば、本実施の形態における下壁部１１には、当該下壁部１１の枠体を構成する４つの長尺状部材である枠材１１ｆ１〜１１ｆ４が設けられている。そこで、本実施の形態では、当該枠材１１ｆ１〜１１ｆ４に底板１１ｅを固定することにより、簡易な構成で‘ためます構造’を形成できる。
【０１０８】
また、本実施の形態に係るコンテナ型蓄電ユニット１によれば、コンテナ１０が第二空間Ｓ２０を横切る床梁１１ｇを有することにより、当該コンテナ１０の強度が確保される。このような構成であっても、床梁１１ｇに第二貫通孔１１ｈが形成されていることにより、床梁１１ｇによる第二空間Ｓ２０内での電解液の滞留を抑制することができる。よって、コンテナ１０の強度を確保しつつ、蓄電素子１２２から漏れ出した電解液を溜めることができる。
【０１０９】
また、本実施の形態に係るコンテナ型蓄電ユニット１によれば、ラック１１０の下方に第一貫通孔１１ｂが形成されていることにより、蓄電素子１２２から漏れ出した電解液を速やかに第二空間Ｓ２０に導くことができる。
【０１１０】
（変形例１）
次に、上記実施の形態の変形例１について、説明する。上記実施の形態では、第一貫通孔１１ｂが蓄電装置１００（蓄電装置１０１〜１０８）の下方に形成されているとした。つまり、第一貫通孔１１ｂはラック１１０の下方に形成されているとした。しかし、第一貫通孔が形成されている位置はラック１１０の下方でなくてもかまわない。本変形例では、この一例として、第一貫通孔が、第一系統の蓄電装置１０１〜１０４と第二系統の蓄電装置１０５〜１０８との間の下方に形成されている。
【０１１１】
図９は、本変形例において、蓄電装置１００が下壁部２１１の床板１１ａに載置されている構成を示す図であり、具体的には、蓄電装置１００は、第一貫通孔２１１ｂと重ならない位置に配置されている。図１０は、本変形例における下壁部２１１及び当該下壁部２１１周りでの電解液の流れを示す斜視図である。なお、図１０では、図８同様、何らかのアクシデントにより蓄電素子１２２から電解液が漏れ出した場合における当該電解液の流れが示され、説明の便宜のため、床板１１ａにハッチングを施しつつ、当該床板１１ａを半透過している。
【０１１２】
図９に示すように、本変形例における第一貫通孔２１１ｂ（第一貫通孔２１１ｂ１〜２１１ｂ２）は、床板１１ａの蓄電装置１００の下方とは異なる位置に形成され、具体的には、第一系統の蓄電装置１０１〜１０４と第二系統の蓄電装置１０５〜１０８との間の空間の下方に形成されている。また、本変形例では、８つの蓄電装置１０１〜１０８に対して、２つの第一貫通孔２１１ｂが形成されている。
【０１１３】
このように構成された本変形例に係るコンテナ型蓄電ユニットであっても、図１０に示すように、蓄電装置１００の蓄電素子１２２から電解液が漏れ出した場合、当該電解液は、床板１１ａに形成された第一貫通孔２１１ｂを通って第二空間Ｓ２０に貯留されることとなる。例えば、蓄電装置１０１の蓄電素子１２２から電解液が漏れ出した場合、当該電解液は、床板１１ａによって形成される床面を流れて第一貫通孔２１１ｂ１を通って、第二空間Ｓ２０へと導かれる。具体的には、第一貫通孔２１１ｂ１を通った電解液は、第二空間Ｓ２０を構成する複数の小空間の１つであって床梁１１ｇ２、１１ｇ３と床板１１ａと底板１１ｅとで囲まれた小空間Ｓ２２（図７参照）に導かれる。
【０１１４】
床梁１１ｇには、短手方向に貫通する第二貫通孔１１ｈが形成されているため、一の小空間（例えば小空間Ｓ２２）に導かれた電解液は、第二空間Ｓ２０を構成する他の小空間にも導かれる。つまり、当該電解液は一の小空間に滞留せず、第二空間Ｓ２０全体に溜められる。
【０１１５】
このように、本変形例に係るコンテナ型蓄電ユニットにおいても、上記実施の形態に係るコンテナ型蓄電ユニット１と同様に、蓄電素子１２２から漏れ出した電解液が第一貫通孔１１ｂ１を通って第二空間Ｓ２０に貯留されることとなる。したがって、本変形例に係るコンテナ型蓄電ユニットにおいても、上記実施の形態と同様の効果が奏される。
【０１１６】
（変形例２）
次に、上記実施の形態の変形例２について、説明する。上記実施の形態では、床梁１１ｇに第二貫通孔１１ｈが形成されているとした。しかし、本変形例では、床梁に貫通孔が形成されていない。
【０１１７】
図１１は、本変形例における下壁部３１１の断面図であり、具体的には、図６のＶＩＩ−ＶＩＩ線に相当する断面図、及び、当該断面図のＢ−Ｂ線における断面図である。
【０１１８】
上記実施の形態では、床梁１１ｇは、上下方向両側が床板１１ａと底板１１ｅとで挟み込まれるように配置されていた。これに対し、本変形例では、図１１に示すように、床梁３１１ｇは、床板１１ａ及び底板１１ｅの少なくとも一方（例えば底板１１ｅ）と離間して配置されている。
【０１１９】
このような構成により、床梁３１１ｇと、床板１１ａ及び底板１１ｅの少なくとも一方との間には、空隙３１１ｈが形成される。これにより、第二空間Ｓ２０を横切るように配置された床梁３１１ｇによって仕切られた小空間（Ｓ２１〜Ｓ２４）同士は、当該空隙３１１ｈによって互いに接続される。
【０１２０】
したがって、本変形例においても、上記実施の形態と同様に、一の小空間（例えば小空間Ｓ２１）に導かれた電解液は、第二空間Ｓ２０を構成する他の小空間（例えば小空間Ｓ２２〜Ｓ２４）にも導かれる。よって、本変形例に係るコンテナ型蓄電ユニットにおいても、上記実施の形態と同様の効果が奏される。
【０１２１】
なお、床梁３１１ｇは、両端が枠材１１ｆに固定されていればよく、床板１１ａと離間して配置されていてもかまわないが、床板１１ａを下方から支えるとともに、当該床板１１ａを補強して耐荷重を確保する観点から、床板１１ａに当接して配置されることが好ましい。
【０１２２】
（変形例３）
次に、上記実施の形態の変形例３について、説明する。本変形例では、上記実施の形態と比べて、下壁部の枠材の配置が異なるとともに、床梁１１ｇが配置されなくてもコンテナ１０の強度が確保されるものとして当該床梁１１ｇが配置されていない。
【０１２３】
蓄電素子１２２に封入された電解液は危険物であるため、安全性確保の観点から、当該蓄電素子１２２から漏れ出した電解液を溜める必要があるが、上記実施の形態のように下壁部１１全体に貯留空間を設けなくてもよい。
【０１２４】
図１２は、本変形例に係るコンテナ型蓄電ユニット４０１における下壁部４１１の詳細な構成を示す斜視図である。なお、同図では、図５同様、側壁部１３〜１５及び間仕切壁１７も図示され、床板１１ａにハッチングを施しつつ、当該床板１１ａを半透過している。
【０１２５】
同図に示すように、コンテナ１０内の空間は間仕切壁１７によって２つの部屋（空間）に仕切られている。具体的には、当該空間は、蓄電装置１００が配置された部屋と、パワーコンディショナ２００が配置された部屋とに仕切られている。
【０１２６】
本変形例における枠材４１１ｆ（枠材４１１ｆ１〜４１１ｆ４）は、上記実施の形態の枠材１１ｆと比べて、下壁部４１１全体の枠体ではなく、側壁部１４と間仕切壁１７との間における下壁部４１１の枠体を構成する。
【０１２７】
このように構成された枠体４１１ｆと底板１１ｅとは、これら枠体４１１ｆと底板１１ｅとで囲まれる空間に流入した液体を溜めることができる、‘ためます構造’を形成する。つまり、当該空間は、流入した液体を溜めることができる貯留空間（第二空間）となる。
【０１２８】
すなわち、本変形例によれば、蓄電素子１２２が配置される部屋の下方に貯留空間が設けられていることとなる。
【０１２９】
このような本変形例に係るコンテナ型蓄電ユニット４０１においても、上記実施の形態に係るコンテナ型蓄電ユニット１と同様に、蓄電素子１２２から漏れ出した電解液が、第一貫通孔１１ｂ１を通って貯留空間に貯留されることとなる。したがって、本変形例に係るコンテナ型蓄電ユニット４０１においても、上記実施の形態と同様の効果が奏される。
【０１３０】
なお、本変形例では、床梁１１ｇが配置されないとしたが、上記実施の形態と同様に、床梁１１ｇが配置されていてもかまわない。
【０１３１】
（変形例４）
次に、上記実施の形態の変形例４について、説明する。本変形例では、上記実施の形態と比べて、床板１１ａに形成された第一貫通孔として、所定方向に延びる開口を有する貫通孔が形成されている。
【０１３２】
図１３は、本変形例において、蓄電装置１００が下壁部５１１の床板１１ａに載置されている構成を示す図であり、具体的には、蓄電装置１００は、所定方向に延びる開口を有する第一貫通孔５１１ｂと重なる位置に配置されている。
【０１３３】
同図に示すように、本変形例における第一貫通孔５１１ｂは、所定方向に延びる開口を有する。本変形例では、第一貫通孔５１１ｂは、例えば、側壁部１４の内壁面に沿ってＹ軸方向に開口が延設され、当該延設方向と直交するＸ軸方向に複数形成されている。
【０１３４】
このような構成によっても、上記実施の形態と同様に、蓄電素子１２２から漏れ出した電解液が第一貫通孔５１１ｂを通って第二空間Ｓ２０に貯留されることとなる。したがって、本変形例に係るコンテナ型蓄電ユニットにおいても、上記実施の形態と同様の効果が奏される。
【０１３５】
また、蓄電素子１２２から漏れ出した電解液を第二空間Ｓ２０に速やかに排出するためには、蓄電装置１００の下方に第一貫通孔５１１ｂが形成されていることが好ましい。本変形例では、第一貫通孔５１１ｂが所定方向に延びた開口を有するため、蓄電装置１００の下方に第一貫通孔５１１ｂが位置しやすくなる。つまり、コンテナ１０内における蓄電装置１００のレイアウト自由度を高めつつ、蓄電素子１２２から漏れ出した電解液の速やかな排出を可能にする。
【０１３６】
（変形例５）
次に、上記実施の形態の変形例５について、説明する。
【０１３７】
図１４は、本変形例に係るコンテナ型蓄電ユニット６０１における下壁部６１１の詳細な構成を示す斜視図である。なお、同図には、当該斜視図の要部断面斜視図も示されている。また、同図では、図５同様、側壁部１３〜１５及び間仕切壁１７も図示され、床板１１ａにハッチングを施しつつ、当該床板１１ａを半透過している。
【０１３８】
同図に示すように、本変形例における下壁部６１１は、上記実施の形態における下壁部１１と比べて、受け板１１ｃ及び断熱材１１ｄを備えず、床梁６１１ｇとして長手方向に直交する断面形状がＨ形状のＨ鋼が設けられている。
【０１３９】
このような構成によっても、上記実施の形態と同様の効果が奏される。
【０１４０】
（その他変形例）
以上、本発明の実施の形態及びその変形例に係る蓄電設備について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１４１】
例えば、上記実施の形態及びその変形例では、コンテナ型蓄電ユニットは、コンテナ１０の内部に、蓄電装置１００とパワーコンディショナ２００と制御装置３００とを備えていることとした。しかし、コンテナ型蓄電ユニットは、パワーコンディショナ２００及び／または制御装置３００を備えていない構成でもかまわない。つまり、コンテナ型蓄電ユニットは、少なくとも１以上の蓄電装置１００を備えていればよい。
【０１４２】
また、枠材及び床梁の形状は、角柱、又は、長手方向に直交する断面形状がＨ字状に限らない。これらは、例えば、長手方向に直交する断面形状が円形、Ｌ字状、Ｖ字状、Ｕ字状、または、１つの辺を欠いた矩形状であってもかまわない。また、枠材及び床梁は中実部材でなくてもよく、中空部材であってもかまわない。
【０１４３】
また、複数の床梁は、互いに平行に配置されていなくてもよく、例えば枠体の内部において筋交い状に斜めに配置されていてもかまわない。
【０１４４】
また、蓄電装置１００は床板１１ａに載置されていなくてもよく、コンテナ１０の第一空間Ｓ１０に配置されていればよく、例えば、上壁部１６から吊り下げられて支持されることにより、コンテナ１０の第一空間Ｓ１０に配置されていてもかまわない。
【０１４５】
また、第二空間Ｓ２０は、床板１１ａと底板１１ｅとの間に形成された空間でなくてもよく、例えば、床板１１ａと受け板１１ｃとの間に設けられた空間であってもかまわない。つまり、枠材と受け板１１ｃとで‘ためます構造’を形成してもかまわない。
【０１４６】
また、上記の実施の形態及び各変形例において、蓄電設備として、コンテナを備えるコンテナ型蓄電ユニットを例示したが、蓄電設備はこれに限らず、次のような構成であればよい。すなわち、蓄電設備は、１以上の蓄電素子が配置されるとともに人が立入可能な第一空間と、第一空間の下方の第二空間との間に配置される床板を備え、床板には、第一空間と第二空間とを接続する第一貫通孔が形成されていればよく、例えば、蓄電設備は、蓄電素子を収納するプラント等の建屋であってもかまわない。
【０１４７】
また、床板はコンテナ及び建屋等の屋内の床板に限らず、屋外に配置された床板であってもかまわない。
【０１４８】
また、蓄電設備は、蓄電素子としてレドックス・フロー電池等の比較的大型の電池を備えていてもかまわない。
【０１４９】
また、上記実施の形態及びその変形例が備える各構成要素を任意に組み合わせて構築される形態も、本発明の範囲内に含まれる。例えば、上記の変形例３の内容を他の変形例の構成に適用してもよいし、上記の変形例４の内容を他の変形例の構成に適用してもかまわない。
【産業上の利用可能性】
【０１５０】
本発明は、１以上の蓄電素子を備える、例えばコンテナ型蓄電ユニット等の蓄電設備に適用できる。
【符号の説明】
【０１５１】
１、４０１、６０１  コンテナ型蓄電ユニット
２  商用電力系統
３  電力負荷
１０  コンテナ
１１、２１１、３１１、４１１、５１１、６１１  下壁部
１１ａ  床板
１１ｂ、１１ｂ１〜１１ｂ４、２１１ｂ、２１１ｂ１、２１１ｂ２、５１１ｂ  第一貫通孔
１１ｃ  受け板
１１ｄ  断熱材
１１ｅ  底板
１１ｆ、１１ｆ１〜１１ｆ４、４１ｆ、４１ｆ１〜４１ｆ４  枠材
１１ｇ、１１ｇ１〜１１ｇ３、３１１ｇ、６１１ｇ  床梁
１１ｈ  第二貫通孔
１２、１３、１４、１５  側壁部
１２ａ、１３ａ  開閉扉
１６  上壁部
１７  間仕切壁
１００、１０１〜１０８  蓄電装置
１１０  ラック
１２０  蓄電モジュール
１２１  収容ケース
１２２  蓄電素子
１２２ａ  容器蓋体
１２２ｂ  容器本体
１２２ｃ  正極端子
１２２ｄ  負極端子
１２２ｅ  正極集電体
１２２ｆ  負極集電体
１２２ｇ  電極体
２００、２０１、２０２  パワーコンディショナ
３００  制御装置
３１１ｈ  空隙
５１０、５２０  電源線
５３０、５４０  通信線
Ｓ１０  第一空間
Ｓ２０  第二空間
【図１】
0006657581.tif 000002
【図２】
0006657581.tif 000003
【図３】
0006657581.tif 000004
【図４】
0006657581.tif 000005
【図５】
0006657581.tif 000006
【図６】
0006657581.tif 000007
【図７】
0006657581.tif 000008
【図８】
0006657581.tif 000009
【図９】
0006657581.tif 000010
【図１０】
0006657581.tif 000011
【図１１】
0006657581.tif 000012
【図１２】
0006657581.tif 000013
【図１３】
0006657581.tif 000014
【図１４】
0006657581.tif 000015